(57)【要約】【課題】送風機とフィルターを上下に水平に配置することで、フィルターを外すと羽根やモータの着脱が容易に行えるレンジフードを提供することを目的とする。【解決手段】下方に開放した箱体１のひとつの面に排気口２を有し、箱体１に送風機３を下方に主吸込口４を有するように配置し、送風機３の下に位置する個所に吸込用の開口６を有した皿形状の受け部７が、箱体１の下面の開放部分を覆うとともに着脱自在に取り付けて一体とした送風機ユニットを特徴としたことにより、送風機等の部品をコンパクトに納めて小型化できるとともに羽根の清掃やモータの点検が容易なレンジフードを提供できる。【選択図】図１
2008196801.tif 000002
【特許請求の範囲】
【請求項１】
下方に開放した箱体のひとつの面に排気口を有し、前記箱体に送風機を下方に主吸込口を有するように横に配置し、前記送風機の下に位置する個所に吸込用の開口を有した皿形状の受け部が、前記箱体の下面の開放部分を覆うとともに着脱自在に取り付けて前記箱体と一体とした送風機ユニットを特徴としたレンジフード。
【請求項２】
受け部の開口に油捕集手段を取り付けたことを特徴とした請求項１記載のレンジフード。
【請求項３】
受け部に照明装置を設けるとともに、上方に位置する送風機の舌部の凹み部分に前記照明装置が位置することを特徴とした請求項１または２記載のレンジフード。
【請求項４】
受け部の下方に一定の隙間を設けて、照明の真下の部分には開口を有する整流板を配置したことを特徴とした請求項３記載のレンジフード。
【請求項５】
送風機ユニット本体の下方にフードを設けて、前記送風機ユニット本体を壁に残したまま前記フードを容易に外すことができる構造とした請求項１〜４のいずれかに記載のレンジフード。
【請求項６】
フードを、送風機ユニット本体の前方からスライドさせて取り付ける構造とした請求項５記載のレンジフード。
【発明の詳細な説明】
【技術分野】
【０００１】
本発明は、レンジフードに関するものである。
【背景技術】
【０００２】
従来より、レンジフードは調理で発生する油煙や蒸気を効率よく排気するためにフード本体を大きくして発生した油煙を捉える構造であった。
【０００３】
図８に示すように、従来のレンジフードは、フード本体１０１内に縦型に配置した送風機１０２をカバー１０３で覆い、カバー１０３の前面にフィルター１０４を装着して、カバー１０３の上部をフード本体１０１の天板１０５へ、そしてカバー１０３の後部をフード本体１０１の背板１０６に固着して、フード本体１０１の強度を確保する構成としていた（例えば特許文献１参照）。
【特許文献１】特開平９−２６９１４３号公報（第４頁、第１図）
【発明の開示】
【発明が解決しようとする課題】
【０００４】
このような大柄なフード本体１０１の中に排気用の送風機１０２とフィルター１０４及び照明１０７を一つの箱に収めたものがあるが、照明１０７は調理コンロを照らすため下を向くのに対し送風機１０２やフィルター１０４は吸込空間を確保するため縦置きになっている。このためレンジフード本体が大きく縦長になり、施工性やデザイン性が悪くなるだけでなく送風機１０２がフードの奥に位置して羽根１０８やフィルター１０４の清掃やモータ１０９の点検が厄介である。この課題を解決する目的でフード前部１１０が分離できる構造となっているが、大きなフード前部１１０を取り外すことは手間であり外したフード前部１１０の置き場に困るなどの課題があった。
【０００５】
本発明は、このような従来の課題を解決するものであり、送風機とフィルターを上下に水平に配置することで、フィルターを外すと羽根やモータの着脱が容易に行えるとともに、送風機の舌部の空いた空間に照明装置を配置することで送風機とフィルター及び照明を小型の箱に収めフードのデザインの制約を少なくするレンジフードを提供することを目的とする。
【課題を解決するための手段】
【０００６】
本発明のレンジフードは、上記目的を達成するために、下方に開放した箱体のひとつの面に排気口を有し、前記箱体に送風機を下方に主吸込口を有するように横に配置し、前記送風機の下に位置する個所に吸込用の開口を有した皿形状の受け部が、前記箱体の下面の開放部分を覆うとともに着脱自在に取り付けて前記箱体と一体とした送風機ユニットを特徴としたものである。
【０００７】
この手段により、清掃時に羽根の着脱が容易になり、モータも容易に取外すことができ、清掃や修理の手間を軽減することができるレンジフードを提供することができる。
【０００８】
また、他の手段は、受け部の開口に油捕集手段を設けたものである。
【０００９】
この手段により、油捕集手段で汚れを捕集することで羽根の汚れを軽減することができるレンジフードを提供することができる。
【００１０】
また、他の手段は、受け部に照明装置を設けるとともに、上方に位置する送風機の舌部の凹み部分の空間に前記照明装置を配置したものである。
【００１１】
この手段により、送風機と照明をコンパクトに配置することができるレンジフードを提供することができる。
【００１２】
また、他の手段は、受け部の下方に一定の隙間を設けて、照明の真下の部分には開口を有する整流板を配置したものである。
【００１３】
この手段により、調理作業を照らすとともに捕集性能を向上することができるレンジフードを提供することができる。
【００１４】
また、他の手段は、送風機ユニット本体の下方にフードを設けて、前記送風機ユニット本体を壁に残したままフードを容易に外すことができる構造としたものである。
【００１５】
この手段により、フードの施工性を向上させるとともにフードを外して丸洗いできるレンジフードを提供することができる。
【００１６】
また、他の手段は、フードを、送風機ユニット本体の前方からスライドさせて取り付ける構造としたものである。
【００１７】
この手段により、送風機ユニットを壁に残した状態でフード単独で着脱することができフードを丸洗いしたり交換することが容易にできるレンジフードを提供することができる。
【発明の効果】
【００１８】
本発明によれば、下方に開放した箱体のひとつの面に排気口を有し、前記箱体に送風機を下方に主吸込口を有するように配置し、前記送風機の下に位置する個所に吸込用の開口を有した皿形状の受け部が、前記箱の下面の開放部分を覆うとともに着脱自在に取り付けて一体とした送風機ユニットを特徴としたことにより、羽根を容易に着脱できることで清掃作業が楽に行なえるとともにモータの点検や交換も容易に行えるという効果のあるレンジフードを提供することができる。
【００１９】
また、前記受け部に油捕集手段を設けることで、羽根の汚れを軽減することができるレンジフードを提供することができる。
【００２０】
また、前記受け部に照明装置を設けるとともに、上方に位置する送風機の舌部の凹み部分の空間に照明装置を配置することで、装置を小型化することができフードのデザイン性にバリエーションを持たせることができるレンジフードを提供できる。
【００２１】
また、照明の真下の部分には開口を有する整流板を配置することで、調理作業面を真上から効率よく照らしながらも吸込風速を高めて油煙を効率よく吸うことができるという効果のあるレンジフードを提供することができる。
【００２２】
また、前記送風機ユニット本体の下方にフードを設けて、前記送風機ユニット本体を壁に残したまま前記フードを容易に外すことができる構造とすることで、フードの施工性を向上させるとともにフードを外して丸洗いできるという効果のあるレンジフードを提供することができる。
【００２３】
また、フードを、送風機ユニット本体の前方からスライドさせて取り付ける構造とすることで、前方からの操作によってフードの施工性を向上させるとともにフードを外して丸洗いできるという効果のあるレンジフードを提供することができる。
【発明を実施するための最良の形態】
【００２４】
本発明の請求項１記載のレンジフードは、下方に開放した箱体のひとつの面に排気口を有し、前記箱体に送風機を下方に主吸込口を有するように配置し、前記送風機の下に位置する個所に吸込用の開口を有した皿形状の受け部が、前記箱の下面の開放部分を覆うとともに着脱自在に取り付けて一体とした送風機ユニットを特徴としたものであり、羽根が下方から容易に着脱できる位置に配設できモータの点検が容易にできるという作用を有する。
【００２５】
また、受け部に油捕集手段、たとえばフィルターを取り付けることで羽根の汚れを軽減できるという作用を有する。
【００２６】
また、受け部に照明装置を設けるとともに、上方に位置する送風機の舌部の凹み部分に照明装置を配置したことを特徴としたものであり、送風機と照明を組み込んだユニットを小型化することでフードのデザイン性に柔軟性を与えるという作用を有する。
【００２７】
また、照明の真下の部分には開口を有して、受け部の下方に一定の隙間を設けて整流板を配置したことを特徴としたものであり、整流板を配置することで調理作業面を照らしながらも吸込風速を高めて油煙を効率よく吸うことができるという作用を有する。
【００２８】
また、送風機ユニット本体の下方にフードを設けて、前記送風機ユニット本体を壁に残したままフードを容易に外すことができるとしたものであり、送風機ユニット本体を壁に残したままフードを外すことができるという作用を有する。
【００２９】
また、フードを、送風機ユニット本体の前方からスライドさせて取り付ける構造としたものであり、送風機ユニット本体を壁に残したままフードを前方から外すことができるという作用を有する。
【００３０】
以下、本発明の実施の形態について、図面を参照しながら説明する。
【００３１】
（実施の形態１）
図１は、本発明の実施の形態１に係わり、レンジフードの側面断面図を示す。
【００３２】
図１に示すように、下方に開放した箱体１のひとつの面である天面に排気口２を有し、前記箱体１にシロッコファンを有する送風機３を下方に主吸込口４を有するように横向きに配置し、前記吸込口４に対応させて開口６を有した皿形状の受け部７を設けて、前記箱体１の下面の開放部分を覆うとともに前記受け部７は、着脱自在に取り付けて一体とした送風機ユニット８で構成されている。
【００３３】
上記構成により、レンジフードの下方から見える位置に、吸込口４、羽根９の順番に配置して構成とすることができ、羽根９が下方から容易に着脱できる位置に配設することが可能となる。
【００３４】
このように、本発明の実施の形態１のレンジフードによれば、羽根９を容易に着脱できることで清掃作業が楽に行なえるとともにモータ１０の点検や交換も容易に行えることとなる。
【００３５】
また、送風機３を横向きに配置したことでレンジフードの高さを低くすることができ、図２に示すように住宅の室内に突出した梁１９による制限を受けずにレンジフードを取り付けることが可能になる。
【００３６】
なお、本実施の形態１では、箱体１のひとつの面である天面に排気口２を有する構成として空気を上方向へ排気するようにしたが、側面に排気口を有する構成として空気を側面へ排気するものとしてもその作用効果が変わらない。
【００３７】
（実施の形態２）
図３に示すように、受け部７の開口６に油捕集手段であるフィルター５を着脱自在に設ける。
【００３８】
上記構成により、羽根の汚れを軽減することができる。
【００３９】
なお、本実施の形態２では、油捕集手段をフィルターとしたが、他の捕集手段たとえばバッフル板等でもその作用効果は変わらない。
【００４０】
（実施の形態３）
図３および図４に示すように、送風機ユニット８の受け部７の下方に照明装置１３上方に位置する送風機３の舌部の凹み部１２に位置するように配置する。
【００４１】
上記構成により、送風機３と照明装置１３を近接させて配置することができ、送風機３と照明装置１３をコンパクトに送風機ユニット８へ収納できレンジフードを小型化することができる。
【００４２】
このように、本発明の実施の形態３のレンジフードによれば、送風機ユニットを小型化することで、図５および図６に示すように、フード１４のデザイン性に自由度を確保してバリエーションを持たせることができることとなる。
【００４３】
（実施の形態４）
図１および図４に示すように、受け部７の下方に一定の隙間を設けて整流板１５を配置し、前記整流板１５には上方に位置する照明装置１３の真下の位置に開口１６を設ける。
【００４４】
上記構成により、整流板を配置することで調理作業面を照らしながらも吸込風速を高めて油煙を効率よく吸うことができる。
【００４５】
このように本発明の実施の形態４のレンジフードによれば、調理作業面を照らしながらも捕集性能を高くすることができる。
【００４６】
（実施の形態５）
図７に示すように、前記送風機ユニット８を壁に取り付けた状態でフード１４を前方に着脱自在に設ける。
【００４７】
図７に示すように、フード１４の開口部に断面がコの字状の受け部１８を設け、前記送風機ユニット８のフランジ部１７部分挿入する構造とし、前方からスライドさせて取り付けるものとする。
【００４８】
上記構成により、送風機ユニットを壁に残した状態でフード単独で着脱することができフードを丸洗いしたり交換することが容易となる。
【００４９】
なお、フード１４と送風機ユニット８の接合は、水平にフード１４をスライドさせて取り付ける構成として、図７に示すような受け部１８を設けたものを述べたが、フード１４の開口部を送風機ユニット８のフランジ部１７部分に乗せる構造として、フード１４前方からスライドさせて取り付けるものでも、その作用効果に差異はない。
【００５０】
さらに、送風機ユニット８のフランジ部１７部分に下側からフード１４をその開口部において固定して取り付ける接合手段を用いても、その作用効果に差異はない。
【００５１】
このように、本発明の実施の形態５のレンジフードによれば、フードの清掃性や取付け及び交換性を高くすることができる。
【産業上の利用可能性】
【００５２】
送風機とフィルター及び照明を水平に且つコンパクトに配置することでデザインに自由度を持ちながら清掃や点検作業性がよい排気装置の用途にも適用できる。
【図面の簡単な説明】
【００５３】
【図１】本発明の実施の形態１および４のレンジフードの部品配置を示す側面構成図
【図２】同レンジフードと梁の位置を示す側面構成図
【図３】本発明の実施の形態２および３のレンジフードを分解した斜視図
【図４】本発明の実施の形態３のレンジフードの照明装置と整流板の位置を示す分解斜視図
【図５】同レンジフードのデザインバリエーションの１つを示す側面構成図
【図６】同レンジフードのデザインバリエーションの１つを示す側面構成図
【図７】本発明の実施の形態５のレンジフードのフード装着状態を示す斜視図
【図８】従来のレンジフードの構造を示す側面構成図
【符号の説明】
【００５４】
１    箱体
２    排気口
３    送風機
４    主吸込口
５    フィルター
６    開口
７    受け部
８    送風機ユニット
９    羽根
１０  モータ
１２  舌部の凹み部
１３  照明装置
１４  フード
１５  整流板
１６  開口
１７  フランジ部
１８  受け部
【図１】
2008196801.tif 000003
【図２】
2008196801.tif 000004
【図３】
2008196801.tif 000005
【図４】
2008196801.tif 000006
【図５】
2008196801.tif 000007
【図６】
2008196801.tif 000008
【図７】
2008196801.tif 000009
【図８】
2008196801.tif 000010